(57)【要約】【課題】生活習慣改善の努力を複合的に評価する生活習慣改善支援装置等を提供する。【解決手段】本発明の生活習慣改善支援装置１は、複数の評価項目の目標値と、複数の評価項目について実際に取得された実データと目標値との差分に対応する判定値及びコメントと、を格納した記憶部２１、２２と、取得された実データに対する目標値との差分を評価項目毎に算出し、算出した差分に対応する判定値及びコメントを評価項目毎かつ日毎に取得する制御部１１、２１と、を備える。また、制御部１１、２１は、差分に対して評価項目毎の重みを反映させ、複数の評価項目を総合する判定値及びコメントを取得する。【選択図】図１
2011128851.tif 000002
【特許請求の範囲】
【請求項１】
生活習慣に関する複数の評価項目についての被指導者の努力を評価する生活習慣改善支援装置であって、
前記複数の評価項目の目標値と、前記複数の評価項目について実際に取得された実データと前記目標値との差分に対応する判定値及びコメントと、を格納した記憶部と、
取得された前記実データに対する前記目標値との差分を前記評価項目毎に算出し、
前記算出した差分に対応する前記判定値及びコメントを前記評価項目毎かつ日毎に取得する制御部と、
を備えること、
を特徴とする生活習慣改善支援装置。
【請求項２】
前記記憶部は、
前記評価項目毎の重みを格納しており、
前記制御部は、
前記差分に対して前記評価項目毎の重みを反映させ、前記複数の評価項目を総合する判定値及びコメントを取得すること、
を特徴とする請求項１に記載の生活習慣改善支援装置。
【請求項３】
前記制御部は、
前記判定値の所定期間におけるばらつきを示す統計量を、前記所定期間毎に取得すること、
を特徴とする請求項１に記載の生活習慣改善支援装置。
【請求項４】
前記複数の評価項目は、
睡眠に関する評価項目、食事に関する評価項目及び運動に関する評価項目を含むこと、
を特徴とする請求項１に記載の生活習慣改善支援装置。
【請求項５】
前記制御部は、
所定の前記評価項目の前記判定値が所定の水準以上を維持している連続日数を所定の期間毎に取得すること、
を特徴とする請求項１に記載の生活習慣改善支援装置。
【請求項６】
生活習慣に関する複数の評価項目についての被指導者の努力を評価する生活習慣改善支援装置を用いた生活習慣改善支援方法であって、
前記生活習慣改善支援装置の記憶部は、
前記複数の評価項目の目標値と、前記複数の評価項目について実際に取得された実データと前記目標値との差分に対応する判定値及びコメントと、を格納しており、
前記生活習慣改善支援装置の制御部は、
取得された前記実データに対する前記目標値との差分を前記評価項目毎に算出し、
前記算出した差分に対応する前記判定値及びコメントを前記評価項目毎かつ日毎に取得すること、
を特徴とする生活習慣改善支援方法。
【請求項７】
前記記憶部は、
前記評価項目毎の重みを格納しており、
前記制御部は、
前記差分に対して前記評価項目毎の重みを反映させ、前記複数の評価項目を総合する判定値及びコメントを取得すること、
を特徴とする請求項６に記載の生活習慣改善支援方法。
【請求項８】
前記制御部は、
前記判定値の所定期間におけるばらつきを示す統計量を、前記所定期間毎に取得すること、
を特徴とする請求項６に記載の生活習慣改善支援方法。
【請求項９】
前記複数の評価項目は、
睡眠に関する評価項目、食事に関する評価項目及び運動に関する評価項目を含むこと、
を特徴とする請求項６に記載の生活習慣改善支援方法。
【請求項１０】
前記制御部は、
所定の前記評価項目の前記判定値が所定の水準以上を維持している連続日数を所定の期間毎に取得すること、
を特徴とする請求項６に記載の生活習慣改善支援方法。
【請求項１１】
生活習慣に関する複数の評価項目についての被指導者の努力を評価し、
前記複数の評価項目の目標値と、前記複数の評価項目について実際に取得された実データと前記目標値との差分に対応する判定値及びコメントと、を格納する記憶部を備える生活習慣改善支援装置を機能させる生活習慣改善支援プログラムであって、
前記生活習慣改善支援装置の制御部に対し、
取得された前記実データに対する前記目標値との差分を前記評価項目毎に算出し、
前記算出した差分に対応する前記判定値及びコメントを前記評価項目毎かつ日毎に取得する処理を実行させること、
を特徴とする生活習慣改善支援プログラム。
【請求項１２】
前記記憶部は、
前記評価項目毎の重みを格納しており、
前記制御部に対し、
前記差分に対して前記評価項目毎の重みを反映させ、前記複数の評価項目を総合する判定値及びコメントを取得する処理を実行させること、
を特徴とする請求項１１に記載の生活習慣改善支援プログラム。
【請求項１３】
前記制御部に対し、
前記判定値の所定期間におけるばらつきを示す統計量を、前記所定期間毎に取得する処理を実行させること、
を特徴とする請求項１１に記載の生活習慣改善支援プログラム。
【請求項１４】
前記複数の評価項目は、
睡眠に関する評価項目、食事に関する評価項目及び運動に関する評価項目を含むこと、
を特徴とする請求項１１に記載の生活習慣改善支援プログラム。
【請求項１５】
前記制御部に対し、
所定の前記評価項目の前記判定値が所定の水準以上を維持している連続日数を所定の期間毎に取得する処理を実行させること、
を特徴とする請求項１１に記載の生活習慣改善支援プログラム。
【発明の詳細な説明】
【技術分野】
【０００１】
本発明は、生活習慣改善支援装置、生活習慣改善支援方法及び生活習慣改善支援プログラムに関する。
【背景技術】
【０００２】
疾病の予防、治療等の目的で、対象者の食習慣、運動習慣等の生活習慣を改善するために保健師による保健指導が実施されている。保健指導を支援し、かつ被指導者が自発的に生活習慣を改善できるようにするために、具体的な生活習慣改善メニューを提案し、改善効果を評価するシステムが、Ｗｅｂ上のシステムも含めて提案されている。
例えば、特許文献１の発明は、単純に減量効果を評価するだけでなく、実際にどれだけ生活習慣を改善したかを評価する。そして、減量効果を指標化することによって、生活習慣を改善しているにもかかわらず減量できないのか、生活習慣の改善を怠ったために減量できないのかを判断して、減量指導に反映させる。
【先行技術文献】
【特許文献】
【０００３】
【特許文献１】特開２００８−３３９０９号公報（段落０００９）
【発明の概要】
【発明が解決しようとする課題】
【０００４】
しかしながら、体重や、疾病防止を判断する他の生体指標、例えばコレステロール値のような指標の改善効果は、被指導者本人の体質に大きく影響を受け、継続的に生活習慣の改善を図っても効果が出ない人と、短期に効果が出る人との差が大きい。したがって、特許文献１の発明では、生活習慣改善の努力を必ずしも実情に合わせて評価できないという課題があった。
【０００５】
そこで、本発明は、生活習慣改善の努力を複合的に評価する生活習慣改善支援装置等を提供することを目的とする。
【課題を解決するための手段】
【０００６】
本発明の生活習慣改善支援装置は、複数の評価項目の目標値と、複数の評価項目について実際に取得された実データと目標値との差分に対応する判定値及びコメントと、を格納した記憶部と、取得された実データに対する目標値との差分を評価項目毎に算出し、算出した差分に対応する判定値及びコメントを評価項目毎かつ日毎に取得する制御部と、を備えることを特徴とする。また、制御部は、差分に対して評価項目毎の重みを反映させ、複数の評価項目を総合する判定値及びコメントを取得すること、を特徴とする。
【発明の効果】
【０００７】
本発明によれば、生活習慣改善の努力を複合的に評価する生活習慣改善支援装置等を提供することが可能になる。
【図面の簡単な説明】
【０００８】
【図１】本実施形態に係る生活習慣改善支援装置の構成図である。
【図２】本実施形態に係る入力端末装置及び携帯端末装置の構成図である。
【図３】本実施形態に係る入力端末装置の外観の一例を示す図である。
【図４】（ａ）は、本実施形態に係る携帯端末装置データ管理データベースの一例を示す図である。（ｂ）は、本実施形態に係る認証情報データベースの一例を示す図である。（ｃ）は、本実施形態に目標情報データベースの一例を示す図である。
【図５】（ａ）は、本実施形態に係る重み付け情報データベースの一例を示す図である。（ｂ）は、本実施形態に係る実データデータベースの一例を示す図である。
【図６】（ａ）は、本実施形態に係る時間判定基準データベースの一例を示す図である。（ｂ）は、本実施形態に係る３食摂取判定基準データベースの一例を示す図である。（ｃ）は、本実施形態に係る夕食の内容判定基準データベースの一例を示す図である。
【図７】（ａ）は、本実施形態に係る夕食の量判定基準データベースの一例を示す図である。（ｂ）は、本実施形態に係る運動量判定基準データベースの一例を示す図である。（ｃ）は、本実施形態に係る意識的運動判定基準データベースの一例を示す図である。
【図８】本実施形態に係る日次データ管理データベースの一例を示す図である。
【図９】（ａ）は、本実施形態に係る日次データ集計データベースの一例を示す図である。（ｂ）は、本実施形態に係る得点計算基準データベースの一例を示す図である。
【図１０】（ａ）は、本実施形態に係る得点判定・コメント生成基準データベースの一例を示す図である。（ｂ）は、本実施形態に係る週次データ管理データベースの一例を示す図である。（ｃ）は、本実施形態に係るばらつき管理データベースの一例を示す図である。
【図１１】（ａ）は、本実施形態に係る連続日数コメントデータベースの一例を示す図である。（ｂ）は、本実施形態に係る合計点のばらつき判定・コメント生成基準データベースの一例を示す図である。（ｃ）は、本実施形態に係る前日差のばらつき判定・コメント生成基準データベースの一例を示す図である。
【図１２】本実施形態に係る月次データ管理データベースの一例を示す図である。
【図１３】本実施形態に係る認証及び実データ登録処理手順のフローチャートである。
【図１４】本実施形態に係る日次データ登録処理手順のフローチャートである。
【図１５】本実施形態に係る日次結果表示処理手順のフローチャートである。
【図１６】本実施形態に係る日次コメント表示処理手順のフローチャートである。
【図１７】本実施形態に係る週次結果及びコメント表示処理手順のフローチャートである。
【図１８】本実施形態に係る月次結果及びコメント表示処理手順のフローチャートである。
【図１９】本実施形態に係る認証画面及びメッセージの一例を示す図である。
【図２０】本実施形態に係る入力画面の一例を示す図である。
【図２１】本実施形態に係る日次結果表示画面の一例を示す図である。
【図２２】本実施形態に係る日次コメント表示画面の一例を示す図である。
【図２３】本実施形態に係る週次結果及びコメント表示画面の一例を示す図である。
【図２４】本実施形態に係る月次結果及びコメント表示画面の一例を示す図である。
【図２５】本実施形態に係る重点目標項目登録画面の一例を示す図である。
【発明を実施するための形態】
【０００９】
以降、本発明を実施するための形態（「本実施形態」という）を、図等を参照しながら詳細に説明する。
【００１０】
（生活習慣改善支援装置）
図１に沿って、生活習慣改善支援装置１を説明する。
生活習慣改善支援装置１は、ネットワーク４を介して入力端末装置２に対して接続可能である。携帯端末装置３は、入力端末装置２と接続可能である。
生活習慣改善支援装置１は、Ｗｅｂ／ＡＰ（application）サーバ５とＤＢ（database）サーバ６を有する。
Ｗｅｂ／ＡＰサーバ５は、一般的なコンピュータであり、主記憶装置１１、補助記憶装置１２、入力装置１３、出力装置１４、中央制御装置１５及び通信装置１６を有する。これらはバスによって相互に接続されている。
【００１１】
Ｗｅｂ管理部５１、ユーザ認証部５２、データ取得部５３、判定部５４、データ登録部５５及び結果表示部５６はプログラムである。以降、「○○部は」と主体を記した場合は、中央制御装置１５が、補助記憶装置１２から各プログラムを読み出し、主記憶装置１１にロードしたうえで、各プログラムの機能（詳細後記）を実現するものとする。
【００１２】
ＤＢサーバ６もまた、一般的なコンピュータであり、主記憶装置２１、補助記憶装置２２、入力装置２３、出力装置２４、中央制御装置２５及び通信装置２６を有する。これらはバスによって相互に接続されている。
【００１３】
補助記憶装置２２は、認証情報データベース７１、目標情報データベース７２、重み付け情報データベース７３、実データデータベース７４、時間判定基準データベース７５、３食摂取判定基準データベース７６、夕食の内容判定基準データベース７７、夕食の量判定基準データベース７８、運動量判定基準データベース７９、意識的運動判定基準データベース８０、日次データ管理データベース８１、日次データ集計データベース８２、得点計算基準データベース８３、得点判定・コメント生成基準データベース８４、週次データ管理データベース８５、ばらつき管理データベース８６、連続日数コメントデータベース８７、合計点のばらつき判定・コメント生成基準データベース８８、前日差のばらつき判定・コメント生成基準データベース８９及び月次データ管理データベース９０（詳細後記）を格納している。図１においては、これらはまとめて、「各種データベース７１〜９０」と記載されている。
【００１４】
ＤＢ管理部５７はプログラムである。以降の説明で、Ｗｅｂ／ＡＰサーバ５の「データ取得部５３」又は「データ登録部５５」が、ＤＢサーバ６の各種データベース７１〜９０を取得又は登録する旨を記載した際には、これらに呼応し、ＤＢサーバ６の中央制御装置２５が、補助記憶装置２２からＤＢ管理部５７を読み出し、主記憶装置２１にロードしたうえで、各種データベース７１〜９０のデータを取得又は登録するものとする。
【００１５】
生活習慣改善支援装置１は、保健指導者が入力装置１３を介して各種データベースの事前設定等を行うのを受け付けるほか、被指導者が入力端末装置２を介して起床時刻等の入力を行うのを受け付け、被指導者に対して保健指導を行う（詳細後記）。保健指導者とは、典型的には、健康保険組合職員、医師、栄養士等である。
図１では、生活習慣改善支援装置１は、Ｗｅｂ／ＡＰサーバ５と、ＤＢサーバ６に分かれて構成されている。しかしながら、両者は１つのサーバであってもかまわない。また、Ｗｅｂ／ＡＰサーバ５とＤＢサーバ６とは、ネットワーク４を介して接続されているものとしたが、両者の間で通信が確保されればよく、例えば専用回線（図示せず）で直接接続されていてもよい。
【００１６】
（入力端末装置、携帯端末装置）
図２及び図３に沿って、入力端末装置２及び携帯端末装置３を説明する。
入力端末装置２は、保健指導を受ける被指導者が操作する端末装置であり、１又は複数台存在する。携帯端末装置３は、被指導者が容易に携帯することが可能な端末装置であり、１又は複数台存在する。被指導者は、日常、携帯端末装置３に対して、起床時刻等を入力し、また、携帯端末装置３を入力端末装置２に接続し、起床時刻等のデータを生活習慣改善装置１に送信する。さらに、被指導者は、入力端末装置２を介して保健指導を受ける。
【００１７】
入力端末装置２もまた、一般的なコンピュータであり、主記憶装置３１、補助記憶装置３２、入力装置３３、出力装置３４、中央制御装置３５、通信装置３６及び携帯端末インターフェース（ＩＦ）３７を有する。これらはバスによって相互に接続されている。
Ｗｅｂブラウザ５８は、Ｗｅｂ／ＡＰサーバ５から送信される画面等を視聴するためのプログラムである。
携帯端末インターフェース（ＩＦ）３７は、後記する携帯端末装置３の入力端末インターフェース（ＩＦ）４６と対になって、入力端末装置２及び携帯端末装置３の間の通信を確保する。例えば、両者は、ＵＳＢ（universal serial bus）方式で接続される。
【００１８】
携帯端末装置３もまた、一般的な携帯型のコンピュータであり、主記憶装置４１、補助記憶装置４２、入力装置４３、出力装置４４、中央制御装置４５及び入力端末インターフェース（ＩＦ）４６を有する。これらはバスによって相互に接続されている。
補助記憶装置４２は、携帯端末装置データ管理データベース９１（詳細後記）を格納する。
クロック機能５９は、主記憶装置４１の一部であり、現在時刻（年月日時分秒）を生成する。運動量管理機能６０もまた、主記憶装置４１の一部であり、被指導者が携帯端末装置３を身につけている間、公知の技術によって被指導者の周期的な運動を検知し、その運動の回数を取得する（例えば、１日の累積歩数を取得する「万歩計（登録商標）」となる）。時刻管理部６１は、プログラムであり、被指導者が携帯端末装置３に対して所定の操作を行った時点の時刻を、クロック機能５９から取得する。
【００１９】
図３は、携帯端末装置３の外観を示す図である。携帯端末装置３は、前面上部に、ディスプレイ（出力装置４４）を有する。ディスプレイは、現在時刻（月日時分）及び、その日における被指導者の累積歩数等を表示する。携帯端末装置３は、前面下部に、複数のボタンを有する入力装置４３を有する、複数のボタンは、起床ボタン９２、就寝ボタン９３、朝食ボタン９４及び夕食ボタン９５を含む。例えば、被指導者が起床時に起床ボタンを押下すると、時刻管理部６１は、クロック機能５９から現在時刻（時分）を取得し、携帯端末装置データ管理データベース９１（図４（ａ））に「起床時刻」と関連付けて記憶する。就寝ボタン９３、朝食ボタン９４及び夕食ボタン９５についても同様である。なお、朝食ボタン９４及び夕食ボタン９５は、被指導者がそれぞれ朝食及び夕食を開始した時点で押下されるものとする。
【００２０】
（携帯端末装置データ管理データベース）
図４（ａ）に沿って、携帯端末装置データ管理データベース９１を説明する。
携帯端末装置データ管理データベース９１においては、項目欄１０１に記憶された評価項目に関連付けて、時刻欄１０２には時刻が記憶されている。図４（ａ）においては、各行に同じ「ＸＸ：ＸＸ」を記載したが、同じ数値が記憶されているという意味ではなく、それぞれが別の数値を有している（図４（ｃ）及び図５（ｂ）においても同様である）。
項目欄１０１の評価項目は、被指導者が評価を受ける複数のテーマ（評価項目）である。ここでは、「起床時刻」、「就寝時刻」、「朝食時刻」及び「夕食時刻」が記憶されている。これらは、それぞれ、図３の起床ボタン９２、就寝ボタン９３、朝食ボタン９４及び夕食ボタン９５に対応している。
時刻欄１０２の時刻は、対応するボタンが押下された時点の時分である。
【００２１】
（認証情報データベース）
図４（ｂ）に沿って、認証情報データベース７１を説明する。
認証情報データベース７１においては、ユーザＩＤ欄１１１に記憶されたユーザＩＤに関連付けて、パスワード欄１１２にはパスワードが記憶されている。
ユーザＩＤ欄１１１のユーザＩＤは、被指導者を一意に特定する識別子である。
パスワード欄１１２のパスワードは、被指導者が設定した本人認証用の、文字、数字、記号又はそれらの組み合わせである。
【００２２】
（目標情報データベース）
図４（ｃ）に沿って、目標情報データベース７２を説明する。
目標情報データベース７２においては、項目欄１２１に記憶された評価項目に関連付けて、目標欄１２２には目標が記憶されている。
【００２３】
項目欄１２１の評価項目は、図４（ａ）の評価項目と同様である。ここでは、図４（ａ）の評価項目に加えて、「睡眠時間」及び「夕食から就寝までの時間」が記憶されている。「睡眠時間」は、当日の就寝時刻から当日の起床時刻を控除した時間を、２４時間００分から控除して求めた時間である。もちろん、前日の就寝時刻から当日の起床時刻までの経過時間を「睡眠時間」としてもよい。この場合、携帯端末装置３は、前日の就寝時刻を記憶しているものとする。
「夕食から就寝までの時間」は、就寝時刻から夕食時刻を控除した時間である。
目標欄１２２の目標は、目標とすべき時刻又は時間（時分）である。目標のうち評価項目「起床時刻」、「就寝時刻」、「朝食時刻」及び「夕食時刻」に対応する目標は、通常保健指導者が、被指導者と協議したうえで設定する。「睡眠時間」及び「夕食から就寝までの時間」は、ＤＢ管理部５７が算出するものとする。
【００２４】
（重み付け情報データベース）
図５（ａ）に沿って、重み付け情報データベース７３を説明する。
重み付け情報データベース７３においては、区分欄１３１に記憶された区分に関連付けて、項目欄１３２には評価項目が、重み欄１３３には重みが、記憶されている。
区分欄１３１の区分は、評価項目の上位概念であり１つの区分には複数の評価項目が属するものとする。ここでは、区分は、「起床／睡眠」、「食事」及び「運動」の３つである。
項目欄１３２の評価項目は、図４（ａ）の評価項目と同様である。ここでは、図４（ｃ）の評価項目に加えて、「規則正しい３食の摂取」、「夕食の内容」、「夕食の量」、「運動量」及び「意識的運動の有無」が記憶されている（詳細後記）。
重み欄１３３重みは、素点（詳細後記）に対して乗じられる数である。「３」とは、素点に対して「３」が乗じられることを意味する。図５（ａ）の例では、すべての重みを合計すると「２０」になっている。これは、素点の最大値「５」と重みとの積の総和が、「１００」になるよう設定されているからであり、もちろん他の設定例によってもかまわない。
【００２５】
（実データデータベース）
図５（ｂ）に沿って、実データデータベース７４を説明する。
実データデータベース７４においては、区分欄１４１に記憶された区分に関連付けて、項目欄１４２には評価項目が、欄１４３、１４４、・・・には月日を見出しとする日次実データが、記憶されている。
区分欄１４１及び項目欄１４２については、図５（ａ）の説明において述べた通りである。
欄１４３、１４４、・・・の日次実データは、１つのレコード（列）が、１日分のデータに相当する。評価項目「起床時刻」、「就寝時刻」、「睡眠時間」、「朝食時刻」、「夕食時刻」、「夕食から就寝までの時間」及び「運動量」に対応する行には、携帯端末装置３から送信されたデータ（時刻、歩数）及びそのデータをもとにして計算されたデータ（時間）が記憶されている。評価項目「規則正しい３食の摂取」、「夕食の内容」、「夕食の量」及び「意識的運動の有無」に対応する行には、被指導者が入力端末装置２の入力装置３３を介して選択入力した文字列が記憶されている（詳細後記）。
【００２６】
（時間判定基準データベース）
図６（ａ）に沿って、時間判定基準データベース７５を説明する。
時間判定基準データベース７５においては、実績との差分欄１５１に記憶された差分に関連付けて、素点欄１５２には素点が記憶されている。
【００２７】
実績との差分欄１５１の差分は、目標（図４（ｃ）の欄１２２）の時刻（又は時間）から日次実データ（図５（ｂ）の欄１４３、１４４、・・・）の時刻（又は時間）を控除した値の絶対値が含まれる範囲を段階的に示したものである。差分は、評価項目「起床時刻」、「就寝時刻」、「睡眠時間」、「朝食時刻」、「夕食時刻」及び「夕食から就寝までの時間」毎に取得される。
素点欄１５２の素点は、被指導者の努力に対する評価を示す数値であり、素点の値が大きいほど、評価も高い。ここでは、差分が小さいほど（実績が目標に近いほど）、素点は大きい。保健指導者は、差分及び素点を任意に設定し得る。
【００２８】
（３食摂取判定基準データベース）
図６（ｂ）に沿って、３食摂取判定基準データベース７６を説明する。
３食摂取判定基準データベース７６においては、３食摂取状況欄１６１に記憶された３食摂取状況に関連付けて、素点欄１６２には素点が記憶されている。
３食摂取状況欄１６１の３食摂取状況は、その１日の被指導者の食事パターンを簡潔に記述した文字列である。
「朝食なし、夕食遅い時間」、「朝食なし、その他適切な時刻」、・・・、「３食すべて適切な時刻」の文字列が、入力端末装置２の出力装置３４に表示され、被指導者は、１日を振り返り、その日の食事パターンに最も近い文字列をマウス等の入力装置３３で選択入力する。
素点欄１６２の素点は、図６（ａ）の素点と同様である。ここでは、朝食を省略し、かつ夕食を遅い時刻にとるパターンに近いパターンであるほど、素点は小さい。保健指導者は、３食摂取状況及び素点を任意に設定し得る。
【００２９】
（夕食の内容判定基準データベース）
図６（ｃ）に沿って、夕食の内容判定基準データベース７７を説明する。
夕食の内容判定基準データベース７７においては、夕食の内容欄１７１に記憶された夕食の内容に関連付けて、素点欄１７２には素点が記憶されている。
夕食の内容欄１７１の夕食の内容は、代表的な食事メニューを記述した文字列である。
「焼肉」、「ラーメン」、・・・、「サラダ中心」の文字列が、入力端末装置２の出力装置３４に表示され、被指導者は、その日の夕食のメニューに最も近い文字列をマウス等の入力装置３３で選択入力する。
素点欄１７２の素点は、図６（ａ）の素点と同様である。ここでは、一般にコレステロール値が高くなるといわれているメニューであるほど、素点は小さい。保健指導者は、夕食の内容及び素点を任意に設定し得る。
【００３０】
（夕食の量判定基準データベース）
図７（ａ）に沿って、夕食の量判定基準データベース７８を説明する。
夕食の量判定基準データベース７８においては、夕食の量欄１８１に記憶された夕食の量に関連付けて、素点欄１８２には素点が記憶されている。
夕食の量欄１８１の夕食の量は、食事の量を段階的に記述した文字列である。
「大盛」、「多め」、・・・、「少ない」の文字列が、入力端末装置２の出力装置３４に表示され、被指導者は、その日の夕食の量に最も近い文字列をマウス等の入力装置３３で選択入力する。
素点欄１８２の素点は、図６（ａ）の素点と同様である。ここでは、食事の量が多いほど、素点は小さい。保健指導者は、夕食の量及び素点を任意に設定し得る。
【００３１】
（運動量判定基準データベース）
図７（ｂ）に沿って、運動量判定基準データベース７９を説明する。
運動量判定基準データベース７９においては、運動量（歩数）欄１９１に記憶された歩数に関連付けて、素点欄１９２には素点が記憶されている。
運動量（歩数）欄１９１の歩数は、携帯端末装置３の運動量管理機能６０が取得した１日の累積歩数を含む歩数の範囲を段階的に示したものである。
素点欄１８２の素点は、図６（ａ）の素点と同様である。ここでは、歩数が多いほど、素点は大きい。保健指導者は、歩数及び素点を任意に設定し得る。
【００３２】
（意識的運動判定基準データベース）
図７（ｃ）に沿って、意識的運動判定基準データベース８０を説明する。
意識的運動判定基準データベース８０においては、意識的運動欄２０１に記憶された意識的運動に関連付けて、素点欄２０２には素点が記憶されている。
意識的運動欄２０１の意識的運動は、単に歩くこと以外の典型的な運動例を記述した文字列である（全くそのような運動がないことを記述する「なし」を含む）。
「なし」、「電車で座らない、背もたれを利用しない」、・・・、「ジムへ行く、ジョギング等」の文字列が、入力端末装置２の出力装置３４に表示され、被指導者は、その日に行った歩行以外の運動に最も近い文字列をマウス等の入力装置３３で選択入力する。
素点欄２０２の素点は、図６（ａ）の素点と同様である。ここでは、カロリー消費が多いと思われる意識的運動であるほど、素点は大きい。保健指導者は、意識的運動及び素点を任意に設定し得る。
【００３３】
（日次データ管理データベース）
図８に沿って、日次データ管理データベース８１を説明する。
日次データ管理データベース８１においては、区分欄２１１に記憶された区分に関連付けて、項目欄２１２には評価項目が、欄２１３、２１４、・・・には月日を見出しとする日次素点データが、記憶されている。
区分欄２１１及び項目欄２１２については、図５（ａ）の説明において述べた通りである。
欄２１３、２１４、・・・の日次素点データは、１つのレコード（列）が、１日分のデータに相当する。各行の値は、日次実データ（図５（ｂ）の欄１４３、１４４、・・・）におけるデータ（時刻、時間、歩数又は文字列）に基づいて取得された、各判定基準データベース７５〜８０の素点である。
【００３４】
（日次データ集計データベース）
図９（ａ）に沿って、日次データ集計データベース８２を説明する。
日次データ集計データベース８２においては、区分欄２２１に記憶された区分に関連付けて、項目欄２２２には評価項目が、満点欄２２３には満点が、重み付け後素点欄２２４には重み付け後素点が、記憶されている。
区分欄２２１については、図５（ａ）の説明において述べた通りである。
項目欄２２２についても、概ね図５（ａ）の説明において述べた通りであるが、ここでは、区分毎に、当該区分に属する評価項目の値の和（小計）を記憶する行「起床／睡眠小計」、「食事小計」及び「運動小計」と、これらすべての小計の和を記憶する行「合計」が追加されている。
満点欄２２３の満点は、各判定基準データベース７５〜８０の素点の最大値に対して重み付け情報データベース７３（図５（ａ））の重みを乗じた積である。
重み付け後素点欄２２４の重み付け後素点は、素点（図８の欄２１３、２１４、・・・）に対して、重み付け情報データベース７３（図５（ａ））の重みを乗じた積である。
【００３５】
例えば、図９（ａ）の１行目に注目すると、満点欄２２３には「１５」が記憶されている。この「１５」は、図６（ａ）の５行目の素点「５」に対して、図５（ａ）の１行目の「３」を乗じた積である。また、重み付け後素点欄２２４には「１２」が記憶されている。この「１２」は、図８の１行目の「４」に対して、図５（ａ）の１行目の「３」を乗じた積である。
さらに、図９（ａ）の下から３行目に注目すると、満点欄２２３には「１０」が記憶されている。この「１０」は、図７（ｃ）の５行目の素点「５」に対して、図５（ａ）の下から１行目の「２」を乗じた積である。また重み付け後素点欄２２４には「１０」が記憶されている。この「１０」は、図８の下から１行目の「５」に対して、図５（ａ）の下から１行目の「２」を乗じた積である。
【００３６】
（得点計算基準データベース）
図９（ｂ）に沿って、得点計算基準データベース８３を説明する。
得点計算基準データベース８３においては、重み付け後素点／満点欄２３１に記憶された重み付け後素点／満点に関連付けて、得点欄２３２には得点が記憶されている。
重み付け後素点／満点欄２３１の重み付け後素点／満点は、図９（ａ）の重み付け後素点を、図９（ａ）の満点で除して１００を乗じた数値（％）が含まれる範囲を段階的に示したものである。
得点欄２３２の得点は、重み付け後素点／満点に対する評価を示す数値である。ここでは、重み付け後素点を満点で除して１００を乗じた数値（％）が大きくなるほど、得点は大きい。保健指導者は、重み付け後素点／満点及び得点を任意に設定し得る。
【００３７】
（得点判定・コメント生成基準データベース）
図１０（ａ）に沿って、得点判定・コメント生成基準データベース８４を説明する。
得点判定・コメント生成基準データベース８４においては、得点欄２４１に記憶された得点に関連付けて、判定欄２４２には判定が、コメント欄２４３にはコメントが、記憶されている。
得点欄２４１の得点は、図９（ｂ）の得点が含まれる範囲を段階的に示したものである。
判定欄２４２の判定は、得点に対する判定結果を示す文字であり、ここでは「Ａ」〜「Ｅ」である。得点が大きい順に、判定「Ａ」、「Ｂ」、「Ｃ」、・・・が対応している。
コメント欄２４３のコメントは、被指導者に宛てられたメッセージである。保健指導者は、得点、判定及びコメントを任意に設定し得る。
【００３８】
（週次データ管理データベース）
図１０（ｂ）に沿って、週次データ管理データベース８５を説明する。
週次データ管理データベース８５においては、項目欄２５１に記憶された週次評価項目に関連付けて、欄２５２〜２５５には月日及び曜日を見出しとする日次得点データが、記憶されている。
行５５１〜５５３の週次評価項目「起床／睡眠」、「食事」及び「運動」は、図５（ａ）の区分に対応している。行５５１〜５５３には、得点が記憶されている。当該得点は、日次データ集計データベース８２（図９（ａ））の各「小計」の行について、重み付け後素点を満点で除し１００を乗じた数値（％）を、得点計算基準データベース８３（図９（ｂ））に当てはめて取得した得点である。
【００３９】
週次評価項目「合計点」の行５５４には、行５５１〜５５３の得点を合計した合計点が記憶されている。
週次評価項目「前日差」の行５５５には、当該日の合計点から、前日の合計点を控除した前日差が記憶されている。当該日が「月」曜日である場合は、「０」が記憶されるものとした。しかしながら、前週の「日」曜日の合計点を保持しておき、「月」曜日の合計点から前週の「日」曜日の合計点を控除した前日差を記憶してもよい。
【００４０】
週次評価項目「総合」の行５５６には、得点が記憶されている。当該得点は、日次データ集計データベース８２（図９（ａ））の「合計」の行について、重み付け後素点を満点で除し１００を乗じた数値（％）を、得点計算基準データベース８３（図９（ｂ））に当てはめて取得した得点である。
週次評価項目「重点目標」の行５５７には、素点が記憶されている。当該素点は、日次データ管理データベース８１（図８）の評価項目のうち、予め被指導者によって月毎に登録された項目（以降「重点目標項目」ということがある）を有する行に記憶されている素点である。
【００４１】
週次評価項目「連続日数」の行５５８には、連続日数が記憶されている。当該連続日数は、行５５７の素点が、所定の水準以上に維持され続けている日数である。例えば、行５５７の素点が、「（月）３」、「（火）３」、「（水）０」、「（木）２」、「（金）３」、「（土）２」及び「（日）４」のように記憶されており、所定の水準は「３」であるとする。この場合、行５５８には、「（月）１」、「（火）２」、「（水）０」、「（木）０」、「（金）１」、「（土）０」及び「（日）１」と記憶されることになる。すなわち、「重点目標」の素点が、所定の水準を下回れば「連続日数」は「０」にリセットされ、再度所定の水準以上に戻れば、「１」として再度カウントし始める。なお、ここでは、単純化のために、ある週内で完結する例を説明した。しかしながら、実際には、週及び月が替わっても「連続日数」は持ち越される（月曜日又は１日になったことを理由に「０」にリセットされない）のが望ましい。
【００４２】
（ばらつき管理データベース）
図１０（ｃ）に沿って、ばらつき管理データベース８６を説明する。
ばらつき管理データベース８６においては、週欄２６１に記憶された週名に関連付けて、合計点のばらつき欄２６２には合計点のばらつきが、前日差のばらつき欄２６３には前日差のばらつきが、記憶されている。
週欄２６１の週名は、週を特定する文字及び数字の組合せである。例えば「１月第１週」は、週次データ管理データベース８５の日次得点データのうち、見出しの曜日が「月」から開始して「日」で終了する、１月の最初のグループを意味している。週の途中で月が替わる場合は、「月」曜日が含まれる月を基準とする。例えば、１月３１日（月）から開始して２月６日（日）で終了する週の週名は「１月第５週」であって「２月第１週」ではない。
【００４３】
合計点のばらつき欄２６２の合計点のばらつきは、ある週の合計点（図１０（ｂ）の行５５４）のばらつきを示す統計量である。当該統計量としては、例えば標準偏差、分散などを使用することができる（後記する前日差のばらつきについても同様）。
前日差のばらつき欄２６３の前日差のばらつきは、ある週の前日差（図１０（ｂ）の行５５５）のばらつきを示す統計量である。
例えば、図１０（ｃ）の１行目の合計点のばらつき「２．５」は、図１０（ｂ）の行５５４の「９」、「８」、「１３」、・・・、「１０」の標準偏差が「２．５」であることを示している。図１０（ｃ）の１行目の前日差のばらつき「５．７」は、図１０（ｂ）の行５５５の「０」、「−１」、「５」、・・・、「−３」の標準偏差が「５．７」であることを示している。
【００４４】
（連続日数コメントデータベース）
図１１（ａ）に沿って、連続日数コメントデータベース８７を説明する。
連続日数コメントデータベース８７においては、連続日数欄２７１に記憶された連続日数に関連付けて、コメント欄２７２にはコメントが記憶されている。
連続日数欄２７１の連続日数は、図１０（ｂ）の連続日数の種別であり、ここでは、連続日数が「０」であることを示す「０」及び、連続日数が「０」以外の数であることを示す「１以上」である。
コメント欄２７２のコメントは、被指導者に宛てられたメッセージである。保健指導者は、連続日数及びコメントを任意に設定し得る。
【００４５】
（合計点のばらつき判定・コメント生成基準データベース）
図１１（ｂ）に沿って、合計点のばらつき判定・コメント生成基準データベース８８を説明する。
合計点のばらつき判定・コメント生成基準データベース８８においては、合計点のばらつき欄２８１に記憶された合計点のばらつきに関連付けて、判定欄２８２には判定が、コメント欄２８３にはコメントが、記憶されている。
合計点のばらつき欄２８１の合計点のばらつきは、図１０（ｃ）の合計点のばらつきが含まれる範囲を段階的に示したものである。
判定欄２８２の判定は、合計点のばらつきに対する判定結果を示す文字であり、ここでは「Ａ」〜「Ｅ」である。合計点のばらつきが小さい順に、判定「Ａ」、「Ｂ」、「Ｃ」、・・・が対応している。
コメント欄２８３のコメントは、被指導者に宛てられたメッセージである。保健指導者は、合計点のばらつき、判定及びコメントを任意に設定し得る。
【００４６】
（前日差のばらつき判定・コメント生成基準データベース）
図１１（ｃ）に沿って、前日差のばらつき判定・コメント生成基準データベース８９を説明する。
前日差のばらつき判定・コメント生成基準データベース８９においては、前日差のばらつき欄２９１に記憶された前日差のばらつきに関連付けて、判定欄２９２には判定が、コメント欄２９３にはコメントが、記憶されている。
前日差のばらつき欄２９１の前日差のばらつきは、図１０（ｃ）の前日差のばらつきが含まれる範囲を段階的に示したものである。
判定欄２９２の判定は、前日差のばらつきに対する判定結果を示す文字であり、ここでは「Ａ」〜「Ｅ」である。前日差のばらつきが小さい順に、判定「Ａ」、「Ｂ」、「Ｃ」、・・・が対応している。
コメント欄２９３のコメントは、被指導者に宛てられたメッセージである。保健指導者は、前日差のばらつき、判定及びコメントを任意に設定し得る。
【００４７】
（月次データ管理データベース）
図１２に沿って、月次データ管理データベース９０を説明する。
月次データ管理データベース９０においては、項目欄３０１に記憶された月次評価項目に関連付けて、欄３０２、・・・には月を見出しとする月次得点データが、記憶されている。
月次評価項目「重点目標項目」の行５６１には、前記した重点目標項目が記憶されている。
月次評価項目「重点目標」の行５６２には、素点が記憶されている。当該素点は、週次データ管理データベース８５（図１０（ｂ））の行５５７の素点のうち、当該月の素点の平均値である。
【００４８】
月次評価項目「起床／睡眠」の行５６３には、得点が記憶されている。当該得点は、週次データ管理データベース８５（図１０（ｂ））の行５５１の得点のうち、当該月の得点の平均値である。
月次評価項目「食事」の行５６４には、得点が記憶されている。当該得点は、週次データ管理データベース８５（図１０（ｂ））の行５５２の得点のうち、当該月の得点の平均値である。
月次評価項目「運動」の行５６５には、得点が記憶されている。当該得点は、週次データ管理データベース８５（図１０（ｂ））の行５５３の得点のうち、当該月の得点の平均値である。
月次評価項目「総合」の行５６６には、得点が記憶されている。当該得点は、週次データ管理データベース８５（図１０（ｂ））の行５５６の得点のうち、当該月の得点の平均値である。
【００４９】
（ユーザＩＤ）
各種データベースのうち、目標情報データベース７２、重み付け情報データベース７３、実データデータベース７４、日次データ管理データベース８１、日次データ集計データベース８２、週次データ管理データベース８５、ばらつき管理データベース８６及び月次データ管理データベース９０（第１群）のそれぞれは、被指導者毎に異なるものがユーザＩＤを付されたうえで、補助記憶装置２２に格納されている。
【００５０】
また、時間判定基準データベース７５、３食摂取判定基準データベース７６、夕食の内容判定基準データベース７７、夕食の量判定基準データベース７８、運動量判定基準データベース７９、意識的運動判定基準データベース８０、得点計算基準データベース８３、得点判定・コメント生成基準データベース８４、連続日数コメントデータベース８７、合計点のばらつき判定・コメント生成基準データベース８８及び合計点のばらつき判定・コメント生成基準データベース８９（第２群）のそれぞれは、被指導者毎に異なるものがユーザＩＤを付されたうえで、補助記憶装置２２に格納されていることが望ましい。しかしながら、被指導者に対する個別具体的な指導が確立するまでの間は、補助記憶装置２２に格納されている「雛形」（図示せず）のデータベースを使用してもよい。
【００５１】
以降の説明では、第１群のデータベース、第２のデータベースともに被指導者毎に異なるものがユーザＩＤを付されたうえで、補助記憶装置２２に格納されているものとして説明する。さらに、以降の説明において、Ｗｅｂ／ＡＰサーバ５等は、各種データベースを取得、検索、突合せ等するに際して、「被指導者から受け付けたユーザＩＤを検索キーとして」等の説明がなくても、当然にユーザＩＤに基づいて、被指導者固有のデータベースを取得等するものとする。
【００５２】
（処理手順）
処理手順には、（１）認証及び実データ登録処理手順、（２）日次データ登録処理手順、（３）日次結果表示処理手順、（４）日次コメント表示処理手順、（５）週次結果及びコメント表示処理手順及び（６）月次結果及びコメント表示処理手順がある。
これらの処理手順は、毎日、（１）→（２）→（３）→（４）の順番で実行される。
（１）、（２）、（３）及び（４）は、通常、被指導者が就寝ボタン９３を押下した後、実際に被指導者が就寝する直前に実行される。
（４）が終了した後、被指導者の選択により（５）又は（６）が実行される。（５）又は（６）の実行は、それぞれ、少なくとも１週分のデータ、又は１月分のデータが取得されていることが前提となっている。
【００５３】
なお、（１）の実行に先立って、認証情報データベース７１、目標情報データベース７２、重み付けデータベース７３、時間判定基準データベース７５、３食摂取判定基準データベース７６、夕食の内容判定基準データベース７７、夕食の量判定基準データベース７８、運動量判定基準データベース７９、意識的運動判定基準データベース８０、得点計算基準データベース８３、得点判定・コメント生成基準データベース８４、連続日数コメントデータベース８７、合計点のばらつき判定・コメント生成基準データベース８８及び前日差のばらつき判定・コメント生成基準データベース８９は完成しているものとする。
【００５４】
日次データ集計データベース８２については、（１）の実行に先立って、重み付け後素点欄２２４のみが空白である状態のものが完成しているものとする。
さらに、（１）の実行に先立って、Ｗｅｂ／ＡＰサーバ５は、重点目標項目登録画面（図２５）を作成した上で入力端末装置２の出力装置３４に表示する。そして、被指導者がボタン３８３〜３９３のうちのいずれか１つを選択し、「登録」ボタン３９４を押下するのを受け付けることによって、「重点目標項目」は、補助記憶装置１２に記憶される。
【００５５】
（認証及び実データ登録処理手順）
図１３に沿って、認証及び実データ登録処理手順を説明する。
ステップＳ４０１において、Ｗｅｂ／ＡＰサーバ５のＷｅｂ管理部５１は、接続要求を受け付ける。
具体的には、Ｗｅｂ管理部５１は、入力端末装置２のＷｅｂブラウザ５８がＷｅｂ／ＡＰサーバ５のＵＲＬを指定し接続要求を行うのを受け付けると、接続処理を行う。
【００５６】
ステップＳ４０２において、Ｗｅｂ／ＡＰサーバ５のユーザ認証部５２は、認証画面３１１を送信する。
具体的には、ユーザ認証部５２は、第１に、認証画面３１１（図１９）を生成し、入力端末装置２に送信する。入力端末装置２のＷｅｂブラウザ５８は、受信した認証画面３１１を出力装置３４に表示する。
ユーザ認証部５２は、第２に、被指導者が認証画面３１１にユーザＩＤ及びパスワードを入力し認証ボタン３１４を押下するのを契機に、当該ユーザＩＤ及びパスワードを受け付ける。
【００５７】
ステップＳ４０３において、Ｗｅｂ／ＡＰサーバ５のデータ取得部５３は、認証情報データベース７１を検索する。
具体的には、データ取得部５３は、第１に、ステップＳ４０２において受け付けられたユーザＩＤを検索キーとして認証情報データベース７１（図４（ｂ））を検索し、該当したレコードを取得する。
【００５８】
ステップＳ４０４において、ユーザ認証部５２は、認証に成功したか否かを判断する。
具体的には、ユーザ認証部５２は、ステップＳ４０３において取得されたレコードのパスワードと、ステップＳ４０２において受け付けられたパスワードとが一致した場合（ステップＳ４０４“ＹＥＳ”）は、ステップＳ４０５に進む。それ以外の場合（ステップＳ４０４“ＮＯ”）は、ステップＳ４０２に戻る。
ステップＳ４０４“ＮＯ”を経由した後のステップＳ４０２においては、ユーザＩＤ及びパスワードの再入力を促すメッセージ３１２（図１９）を、入力端末装置２に送信し、入力端末装置２のＷｅｂブラウザ５８は、メッセージ３１２を出力装置３４に表示する。
【００５９】
ステップＳ４０５において、データ取得部５３は、入力画面３２１を送信する。
具体的には、データ取得部５３は、第１に、入力画面３２１（図２０）を生成し、入力端末装置２に送信する。入力端末装置２のＷｅｂブラウザ５８は、入力画面３２１を出力装置３４に表示する。
入力画面３２１は、ユーザＩＤ及現時点の月日を含む標題３３５、評価項目毎の入力欄３２２〜３３２、「データ取得」ボタン３３３及び「登録」ボタン３３４を有している。
この段階では、入力欄３２２〜３３２は、空欄である。
【００６０】
ステップＳ４０６において、データ取得部５３は、実データ取得要求を受け付ける。
具体的には、データ取得部５３は、被指導者が、入力画面３２１の「データ取得」ボタン３３３を押下するのを受け付ける。
【００６１】
ステップＳ４０７において、データ取得部５３は、携帯端末装置３が接続されているか否かを判断する。
具体的には、データ取得部５３は、入力端末装置２と携帯端末装置３との間の接続を確認し、接続されている場合（ステップＳ４０７“ＹＥＳ”）は、ステップＳ４０８に進む。それ以外の場合（ステップＳ４０７“ＮＯ”）は、ステップＳ４０９に進む。
【００６２】
ステップＳ４０８において、データ取得部５３は、起床時刻等のデータを取得する。
具体的には、データ取得部５３は、携帯端末装置データ管理データベース９１（図４（ａ））に記憶されている、評価項目と時刻のすべての組合せ、及び携帯端末装置３が保持している運動量（歩数）を取得し、主記憶装置１１に一時的に格納する。
【００６３】
ステップＳ４０９において、データ取得部５３は、接続要求を送信する。
具体的には、データ取得部５３は、入力端末装置２と携帯端末装置３との間の接続を促すメッセージ（図示せず）を入力端末装置２に送信する。その後、ステップＳ４０７に戻る。
【００６４】
ステップＳ４１０において、データ取得部５３は、取得したデータを表示する。
具体的には、データ取得部５３は、第１に、ステップＳ４０８において取得された評価項目と時刻等のすべての組合せを、入力画面３２１の各入力欄に表示する。
この段階で、入力画面３２１の欄３２２〜３２５、３２８には、ステップＳ４０８において取得された起床時刻等のデータ及び運動量（歩数）が表示されている。
第２に、ステップＳ４０８において取得された就寝時刻及び起床時刻に基づいて睡眠時間を算出し、入力画面３２１の欄３２６に表示する。
第３に、ステップＳ４０８において取得された夕食時刻及び就寝時刻に基づいて夕食から就寝までの時間を算出し、入力画面３２１の欄３２７に表示する。
この段階で、入力画面３２１は、欄３２９〜３３２のみが空白であり、これらの欄３２９〜３３２が強調表示されて被指導者の入力を促す状態になっている。
【００６５】
ステップＳ４１１において、データ取得部５３は、データを追加取得する。
具体的には、データ取得部５３は、第１に、被指導者が欄３２９〜３３２のいずれかをマウス等の入力装置３３で選択するのを契機として、選択肢を表示する。例えば、夕食の内容についての欄３３０が選択された場合は、別ウインドウを開き、夕食の内容判定基準データベース７７（図６（ｃ））の夕食の内容「焼肉」、「ラーメン」、「そば、軽食」、「魚」及び「サラダ中心」を表示する。
第２に、当該選択肢の１つを、被指導者が選択するのを受け付け、当該選択された欄に当該選択された選択肢を表示する。
「第１」及び「第２」の処理は欄３２９〜３３２のすべてについて行う。
第３に、欄３２２〜３３２の任意の欄に表示されているデータを被指導者が手動で上書き修正するのを受け付けてもよい。
第４に、被指導者が「登録」ボタン３３４を押下するのを受け付ける。
【００６６】
ステップＳ４１２において、Ｗｅｂ／ＡＰサーバ５のデータ登録部５５は、データの整合性を確認する。
具体的には、データ登録部５５は、入力画面３２１のすべての欄３２２〜３３２にデータが入力されており、かつ、入力値として処理され得ない値ではないことを確認する。ある欄が空白である又は現実にあり得ない値（例えば時刻についての修正入力値「２５：７０」のようなもの）が入力されている場合は、当該欄を強調表示し再入力を促す。
【００６７】
ステップＳ４１３において、データ登録部５５は、実データデータベース７４に登録する。
具体的には、データ登録部５５は、実データデータベース７４（図５（ｂ））の新たな列を作成し、列の見出しに現在の月日を記憶し、入力画面３２１の欄３２２〜３２３に表示されているデータを、新たに作成した列の対応する行に記憶する。
その後、認証及び実データ登録処理手順を終了する。
【００６８】
（日次データ登録処理手順）
図１４に沿って、日次データ登録処理手順を説明する。
ステップＳ４２１において、Ｗｅｂ／ＡＰサーバ５のデータ取得部５３は、日次データ登録要求を受け付ける。
前記した認証及び実データ登録処理手順の最終ステップが終了すると同時に、Ｗｅｂ／ＡＰサーバ５のデータ登録部５５は、日次データ登録要求を生成するものとし、データ取得部５３は、当該要求を受け付けて、日次データ登録処理手順を始動する。したがって、被指導者には、認証及び実データ登録処理手順及び日次データ登録処理手順が連続して実行されるように見える。しかしながら、入力端末装置２から、日次データ登録処理手順を開始する旨の当該要求を受け付けることとしてもよい。
【００６９】
ステップＳ４２２において、データ取得部５３は、実データデータベース７４のレコードを取得する。
具体的には、データ取得部５３は、現在の月日を検索キーとして、実データデータベース７４（図５（ｂ））を検索し、該当したレコード（列）を取得する。
【００７０】
ステップＳ４２３において、Ｗｅｂ／ＡＰサーバ５の判定部５４は、時間関連の評価項目の素点を取得する。
時間関連の評価項目とは「起床時刻」、「就寝時刻」、「睡眠時間」、「朝食時刻」、「夕食時刻」及び「夕食から就寝までの時間」である。
具体的には、判定部５４は、第１に、ステップＳ４２２において取得された列の「起床時刻」の行に記憶されているデータ値を取得する。
第２に、目標情報データベース７２（図４（ｃ））の評価項目「起床時間」に対応する目標を取得する。
第３に、「第２」において取得された目標から「第１」において取得されたデータ値を控除した値の絶対値を算出する。
第４に、時間判定基準データベース７５（図６（ａ））の差分と、「第３」において算出された絶対値とを突合し、対応する素点を取得する。
ステップＳ４２３の処理は、残りのすべての時間関連の評価項目について繰り返す。
【００７１】
ステップＳ４２４において、判定部５４は、その他の評価項目の素点を取得する。
その他の評価項目とは、「規則正しい３食の摂取」、「夕食の内容」、「夕食の量」、「運動量」及び「意識的運動の有無」である。
具体的には、判定部５４は、第１に、ステップＳ４２２において取得された列の「規則正しい３食の摂取」の行に記憶されているデータを取得する。
第２に、３食摂取判定基準データベース７６（図６（ｂ））の３食摂取状況と、「第１」において取得されたデータとを突合し、対応する素点を取得する。
ステップＳ４２４の処理は、残りのすべてのその他の評価項目について繰り返す。ただし、素点を取得する際に突合すべきデータベースは評価項目によって異なり、「夕食の内容」については夕食の内容判定基準データベース７７（図６（ｃ））であり、「夕食の量」については夕食の量判定基準データベース７８（図７（ａ））であり、「運動量」については運動量判定基準データベース７９（図７（ｂ））であり、「意識的運動の有無」については意識的運動判定基準データベース８０（図７（ｃ））である。
【００７２】
ステップＳ４２５において、Ｗｅｂ／ＡＰサーバ５のデータ登録部５５は、日次データ管理データベース８１に素点を登録する。
具体的には、データ登録部５５は、第１に、日次データ管理データベース８１（図８）の新たなレコード（列）を作成する。
第２に、ステップＳ４２３及びステップＳ４２４において取得された素点を、作成した行の、対応する評価項目を有する行に記憶する。
その後、日次データ登録処理手順を終了する。
【００７３】
（日次結果表示処理手順）
図１５に沿って、日次結果表示処理手順を説明する。
ステップＳ４３１において、Ｗｅｂ／ＡＰサーバ５のデータ取得部５３は、日次結果表示要求を受け付ける。
前記した日次データ登録処理手順の最終ステップが終了すると同時に、Ｗｅｂ／ＡＰサーバ５のデータ登録部５５は、日次結果表示要求を生成するものとし、データ取得部５３は、当該要求を受け付けて、日次結果表示処理手順を始動する。したがって、被指導者には、日次データ登録処理手順及び日次結果表示処理手順が連続して実行されるように見える。しかしながら、入力端末装置２から、日次結果表示録処理手順を開始する旨の当該要求を受け付けることとしてもよい。
【００７４】
ステップＳ４３２において、データ取得部５３は、日次データ管理データベース８１のレコードを取得する。
具体的には、データ取得部５３は、現在の月日を検索キーとして、日次データ管理データベース８１（図８）を検索し、該当したレコード（列）を取得する。
【００７５】
ステップＳ４３３において、データ取得部５３は、重みを取得する。
具体的には、データ取得部５３は、重み付け情報データベース７３（図５（ａ））のすべての重みを取得する。
【００７６】
ステップＳ４３４において、データ取得部５３は、重み付け後素点を算出する。
具体的には、データ取得部５３は、評価項目毎に、ステップＳ４３２において取得された列の素点に対して、ステップＳ４３３において取得された重みを乗じ、重み付け後素点を算出する。
【００７７】
ステップＳ４３５において、データ取得部５３は、日次データ集計データベース８２を完成する。
具体的には、データ取得部５３は、第１に、重み付け後素点欄２２４が空白である日次データ集計データベース８２（図９（ａ）、前記したように予め作成されている）を取得する。
第２にステップＳ４３４において算出された重み付け後素点を、重み付け後素点欄２２４の対応する評価項目の行に記憶する。
第３に、重み付け後素点欄２２４の「起床／睡眠小計」、「食事小計」、「運動小計」及び「合計」の行について、重み付け後素点を算出し記憶する。
【００７８】
ステップＳ４３６において、データ取得部５３は、得点を取得する。
具体的には、データ取得部５３は、第１に、日次データ集計データベース８２（図９（ａ））の重み付け後素点を満点で除して１００を乗じた値を算出する。
第２に、算出された値を、得点計算基準データベース８３（図９（ｂ））の重み付け後素点／満点と突合して、対応する得点を取得する。
ステップＳ４３６の処理は、日次データ集計データベース８２の「起床／睡眠小計」、「食事小計」、「運動小計」及び「合計」の行について繰り返す。したがって、ステップＳ４３６の処理が終了した段階で、図９（ａ）の項目欄２２２の評価項目「起床／睡眠小計」「食事小計」、「運動小計」及び「合計」に対応する得点が取得されていることになる。
【００７９】
ステップＳ４３７において、Ｗｅｂ／ＡＰサーバ５のデータ登録部５５は、週次データ管理データベース８５に登録する。
具体的には、データ登録部５５は、第１に、週次データ管理データベース８５（図１０（ｂ））の新たなレコード（列）を作成する。
第２に、作成された列の見出しに、現在の月日及び曜日を記憶する。
第３に、作成された列の行５５１、列５５２、列５５３及び列５５６に、ステップ４３６において取得された「起床／睡眠小計」、「食事小計」、「運動小計」及び「合計」に対応する得点を記憶する。
【００８０】
第４に、作成された列の行５５４に、行５５１〜５５３の得点の合計を合計点として記憶する。
第５に、作成された列の行５５５に、当日の合計点から前日の合計点を控除した値を前日差として記憶する。
第６に、作成された列の行５５７に、日次データ管理データベース８１（図８（ａ））の当日の列の素点のうち、重点目標項目として登録されている項目の素点を記憶する。
第７に、「第６」において記憶した行５５７の素点が所定の値以上である場合は、前日の列の行５５８に記憶されている連続日数に「１」を加算した数を、当日の列の行５５８に記憶する。「第６」において記憶した行５５７の素点が所定の値未満である場合は、当日の列の行５５８に「０」を記憶する。
【００８１】
ステップＳ４３８において、Ｗｅｂ／ＡＰサーバ５の結果表示部５６は、日次結果表示画面３４１を作成する。
具体的には、結果表示部５６は、第１に、日次データ集計データベース８２（図９（ａ））の評価項目（小計及び合計を除く）を横軸とし、対応する重み付け後素点を縦軸とする折れ線グラフを作成する。
第２に、日次データ集計データベース８２の区分（合計を除く）を横軸とし、当該区分に属する評価項目（小計を除く）に対応する重み付け後素点の平均値を縦軸とする棒グラフを作成する。
第３に、週次データ管理データベース８５（図１０（ｂ））の当日の列において、行５５１、５５２、５５３の得点を取得する。そして、取得された得点を、得点判定・コメント生成基準データベース８４（図１０（ａ））の得点と突合し、対応する判定を取得する。
【００８２】
第４に、日次結果表示画面３４１（図２１）を作成する。当該画面は、「第１」において作成された折れ線グラフ３４３、「第２」において作成された棒グラフ３４５、「第３」において取得された判定３４４（棒グラフの上辺の近辺）、ユーザＩＤ及び当日の月日を示す標題３４２、及び「コメント表示画面へ」ボタン３４６（詳細後記）を有する。
第４に、日次結果表示画面３４１を、入力端末装置２に送信する。
入力端末装置２のＷｅｂブラウザ５８は、出力装置３４に日次結果表示画面３４１を表示する。
その後、日次結果表示処理手順を終了する。
【００８３】
（日次コメント表示処理手順）
図１６に沿って、日次コメント表示処理手順を説明する。
ステップＳ４４１において、Ｗｅｂ／ＡＰサーバ５のデータ取得部５３は、日次コメント表示要求を受け付ける。
具体的には、データ取得部５３は、被指導者が、日次結果表示画面３４１の「コメント表示画面へ」ボタン３４６を押下するのを受け付ける。
【００８４】
ステップＳ４４２において、データ取得部５３は、当日の得点等を取得する。
具体的には、データ取得部５３は、週次データ管理データベース８５（図１０（ｂ））の当日の列において、行５５１、行５５２、行５５３及び行５５６の得点、行５５７の素点、及び行５５８の連続日数を取得する。
【００８５】
ステップＳ４４３において、Ｗｅｂ／ＡＰサーバ５の判定部５４は、判定及びコメントを取得する。
具体的には、判定部５４は、第１に、ステップＳ４４２において取得された得点と、得点判定・コメント生成基準データベース８４（図１０（ａ））の得点を突合せ、対応する判定及びコメントを取得する。
第２に、ステップＳ４４２において取得された素点と、得点判定・コメント生成基準データベース８４（図１０（ａ））の得点を突合せ、対応する判定を取得する。
第３に、ステップＳ４４２において取得された連続日数と、連続日数コメントデータベース８７（図１１（ａ））の連続日数を突合し、対応するコメントを取得する。そして、取得されたコメントが「本日を含めＸ日連続で・・・」（図１１（ｂ）の２行目）であった場合には、「Ｘ」の部分を、ステップＳ４４２において取得された連続日数に置き換える。
【００８６】
ステップＳ４４４において、判定部５４は、重み付け後素点が最も高い評価項目を取得する。
具体的には、判定部５４は、第１に、日次データ集計データベース８２（図９（ａ））の重み付け後素点欄２２４において、最も値が大きい重み付け後素点を取得する。このとき、「小計」及び「合計」に対応する重み付け後素点は無視する。
第２に、取得された重み付け後素点に対応する評価項目を取得する。
【００８７】
ステップＳ４４５において、判定部５４は、重み付け後素点が最も高い評価項目の素点を取得する。
具体的には、判定部５４は、日次データ管理データベース８１（図８）の当日の列において、ステップＳ４４４の「第２」で取得された項目に対応する素点を取得する。
【００８８】
ステップＳ４４６において、判定部５４は、重み付け後素点が最も高い評価項目の判定及びコメントを取得する。
具体的には、判定部５４は、ステップＳ４４５において取得された素点と、得点判定・コメント生成基準データベース８４（図１０（ａ））の得点を突合し、対応する判定及びコメントを取得する。そして、取得されたコメントの冒頭に、ステップＳ４４４の「第２」において取得された評価項目を「○○○について」のように付加する。
【００８９】
ステップＳ４４７において、Ｗｅｂ／ＡＰサーバ５の結果表示部５６は、日次コメント表示画面３５１（図２２）を作成する。
具体的には、結果表示部５６は、第１に、欄３５３〜３５６、「週次判定へ」ボタン３５７、「月次判定へ」ボタン３５８、終了ボタン３５９並びにユーザＩＤ及び月日を示す標題３５２を有する日次コメント表示画面３５１を作成する。
第２に、欄３５３及び欄３５４に、ステップＳ４４３の「第１」において取得された判定及びコメントを、評価項目毎に記載する。欄３５３の判定及びコメントは、週次データ管理データベース８５の行５５６（「総合」）に対応している。欄３５４の判定及びコメントは、週次データ管理データベース８５の行５５１〜５５３（「起床／睡眠」、「食事」及び「運動」）に対応している。
第３に、欄３５５に、ステップＳ４４３の「第２」において取得された判定及びステップＳ４４３の「第３」において取得されたコメントを記載する。欄３５５の判定及びコメントは、週次データ管理データベース８５の行５５７（「重点目標」）及び行５５８（「連続日数」）に対応している。
第４に、欄３５６に、ステップＳ４４６において取得された判定及びコメントを記載する。
第５に、日次コメント表示画面３５１を、入力端末装置２に送信する。
入力端末装置２のＷｅｂブラウザ５８は、出力装置３４に日次コメント表示画面３５１を表示する。
その後、日次コメント表示処理手順を終了する。
【００９０】
（週次結果及びコメント表示処理手順）
図１７に沿って、週次結果及びコメント表示処理手順を説明する。
ステップＳ４５１において、Ｗｅｂ／ＡＰサーバ５のデータ取得部５３は、週次結果及びコメント表示要求を受け付ける。
具体的には、データ取得部５３は、被指導者が日次コメント表示画面３５１の「週次判定へ」ボタン３５７を押下するのを受け付ける。
【００９１】
ステップＳ４５２において、データ取得部５３は、合計点及び前日差を取得する。
具体的には、データ取得部５３は、週次データ管理データベース８５（図１０（ｂ））の前週の月曜日から日曜日までの列における、行５５４の合計点及び行５５５の前日差を取得する。行５５４の合計点及び行５５５の前日差は、それぞれ、７つの数値の集合である。
【００９２】
ステップＳ４５３において、Ｗｅｂ／ＡＰサーバ５の判定部５４は、合計点及び前日差のばらつきを算出する。
具体的には、判定部５４は、ステップＳ４５２において取得された合計点の集合及び前日差の集合のそれぞれについて、標準偏差を算出する。
【００９３】
ステップＳ４５４において、判定部５４は、ばらつきを記憶する。
具体的には、判定部５４は、ばらつき管理データベース８６（図１０（ｃ））の新たなレコード（行）を作成し、週欄２６１、合計点のばらつき欄２６２及び前日差のばらつき欄２６３に、それぞれ、前週を特定する週名、合計点の集合についての標準偏差及び前日差の集合についての標準偏差を記憶する。
【００９４】
ステップＳ４５５において、判定部５４は、ばらつきについての判定及びコメントを取得する。
具体的には、判定部５４は、第１に、ステップＳ４５３において算出された合計点の集合についての標準偏差を、合計点のばらつき判定・コメント生成基準データベース８８（図１１（ｂ））の合計点のばらつきと突合し、対応する判定及びコメントを取得する。
第２に、ステップＳ４５３において算出された前日差の集合についての標準偏差を、前日差のばらつき判定・コメント生成基準データベース８９（図１１（ｃ））の合計点のばらつきと突合し、対応する判定及びコメントを取得する。
【００９５】
ステップＳ４５６において、Ｗｅｂ／ＡＰサーバ５の結果表示部５６は、週次結果及びコメント表示画面３６１（図２３）を作成する。
具体的には、結果表示部５６は、第１に、ばらつき管理データベース８６（図１０（ｃ））の週名（当月の週に限る）を横軸とし、対応する合計点のばらつきを縦軸とする折れ線グラフを作成する。
第２に、ばらつき管理データベース８６（図１０（ｃ））の週名（当月の週に限る）を横軸とし、対応する前日差のばらつきを縦軸とする折れ線グラフを作成する。
第３に、欄３６３、３６４、「終了」ボタン３６７並びにユーザＩＤ及び月日を示す標題３６２を有する週次結果及びコメント表示画面３６１を作成する。
第４に、週次結果及びコメント表示画面３６１の欄３６３及び欄３６４に、それぞれ、ステップＳ４５５の「第１」において取得した判定及びコメント、並びに、ステップＳ４５５の「第２」において取得した判定及びコメントを記載する。
【００９６】
第５に、週次結果及びコメント表示画面３６１の欄３６４の下の余白に、当該ステップの「第１」において作成された折れ線グラフ３６６及び当該ステップの「第２」において作成された折れ線グラフ３６５を記載する。
第６に、週次結果及びコメント表示画面３６１を、入力端末装置２に送信する。
入力端末装置２のＷｅｂブラウザ５８は、出力装置３４に週次結果及びコメント表示画面３６１を表示する。
その後、週次結果及びコメント表示処理手順を終了する。
【００９７】
（月次結果及びコメント表示処理手順）
図１８に沿って、月次コメント表示処理手順を説明する。
ステップＳ４６１において、Ｗｅｂ／ＡＰサーバ５のデータ取得部５３は、月次結果及びコメント表示要求を受け付ける。
具体的には、データ取得部５３は、被指導者が日次コメント表示画面３５１の「月次判定へ」ボタン３５８を押下するのを受け付ける。
【００９８】
ステップＳ４６２において、データ取得部５３は、月次データ管理データベース９０に登録する。
具体的には、データ取得部５３は、第１に、週次データ管理データベース８５（図１０（ｂ））の当月１日から末日までの列を取得し、行５５１、行５５２、行５５３、行５５６及び行５５７のそれぞれについて、得点又は素点の平均値を算出する。
第２に、月次データ管理データベース９０（図１２）の新たなレコード（列）を作成する。
第３に、作成された列の行５６３、行５６４、行５６５、行５６６及び行５６２に、それぞれ、「第１」において算出された図１０（ｂ）の行５５１、行５５２、行５５３、行５５６及び行５５７についての得点又は素点の平均値を記憶する。
第４に、作成された列の行５６１に、予め設定されている重点目標項目を記憶する。
【００９９】
ステップＳ４６３において、Ｗｅｂ／ＡＰサーバ５の判定部５４は、判定及びコメントを取得する。
具体的には、判定部５４は、第１に、ステップＳ４６２において算出された行５５６の得点の平均値と、得点判定・コメント生成基準データベース８４（図１０（ａ））の得点を突合せ、対応する判定及びコメントを取得する。
第２に、ステップＳ４６２において算出された行５５７の素点の平均値と、得点判定・コメント生成基準データベース８４（図１０（ａ））の得点を突合せ、対応する判定を取得する。
【０１００】
ステップＳ４６４において、データ取得部５３は、重点目標項目の連続日数を取得する。
具体的には、データ取得部５３は、ステップＳ４６２の「第１」において取得した、週次データ管理データベース８５（図１０（ｂ））の当月１日から末日までの列において、「連続日数」の行５５８の最大値を取得する。
【０１０１】
ステップＳ４６５において、Ｗｅｂ／ＡＰサーバ５の結果表示部５６は、月次結果及びコメント表示画面３７１（図２４）を作成する。
具体的には、結果表示部５６は、第１に、月次データ管理データベース９０（図１２）の月（当年の月に限る）を横軸とし、対応する行５６２の素点の平均値を縦軸とする折れ線グラフを作成する。
第２に、月次データ管理データベース９０（図１２）の月（当年の月に限る）を横軸とし、対応する行５６３の得点の平均値を縦軸とする棒グラフを作成する。同様に、月次データ管理データベース９０（図１２）の月（当年の月に限る）を横軸とし、対応する行５６４の得点の平均値を縦軸とする棒グラフ、及び、月次データ管理データベース９０（図１２）の月（当年の月に限る）を横軸とし、対応する行５６５の得点の平均値を縦軸とする棒グラフを作成する。
第３に、欄３７３、３７４、「重点項目再設定」ボタン３８０並びにユーザＩＤ及び月を示す標題３７２を有する月次結果及びコメント表示画面３７１（図２４）を作成する。
第４に、月次結果及びコメント表示画面３７１の欄３７３に、ステップＳ４６３の「第１」において取得した判定及びコメントを記載する。
第５に、月次結果及びコメント表示画面３７１の欄３７４に、ステップＳ４６３の「第２」において取得した判定と、「Ｙ日間連続で良好であり継続して実施してください」の「Ｙ」の部分にステップＳ４６４において取得した最大値を上書きしたコメントを記載する。
【０１０２】
第６に、月次結果及びコメント表示画面３７１の欄３７４の下の余白に、当該ステップの「第１」において作成された折れ線グラフ３７６及び当該ステップの「第２」において作成された３種類の棒グラフ３７７、３７８、３７９を記載する。３種類のそれぞれの棒グラフの高さは、「起床／就寝」、「食事」及び「運動」についての得点の平均値を示している。図２４に示すようにこれらの棒グラフを上下に並べて記載する。
第７に、月次データ管理データベース９０（図１２）において、行５６６の得点の平均値を当月のすべての列について取得し、取得された得点の平均値を、得点判定・コメント生成基準データベース８４（図１０（ａ））の得点と突合し、対応する判定を取得する。そして、取得された判定を、対応する月の棒グラフの上辺付近に記載する（図２４の符号３７５）。
第８に、月次結果及びコメント表示画面３７１を、入力端末装置２に送信する。
入力端末装置２のＷｅｂブラウザ５８は、出力装置３４に月次結果及びコメント表示画面３７１を表示する。
その後、月次結果及びコメント表示処理手順を終了する。
【０１０３】
（変形例）
前記した実施形態では、週次データ管理データベース８５（図１０（ｂ））の行５５７に記憶される値は、得点ではなく素点であるとした。これは、ある評価項目の重みの大小とは無関係に、重点目標項目の素点及び連続性を評価しやすくするためである。しかしながら、週次データ管理データベース８５（図１０（ｂ））の行５５７に記憶される値を重みが反映された得点とすることも可能である。
【０１０４】
前記した例では、日次以外の処理としては、週次及び月次の処理を行うものとした。しかしながら、これらは一例であり、例えば、ある月の上旬、中旬、下旬、ある年の春季、夏季、秋季、冬季等毎に処理を行うこととしてもよい。また、週次、月次の処理においても、必ずしも月曜日から始まる週、及び１日から始まる月を単位とする必要はない。
【０１０５】
（本実施形態の効果）
本実施形態の生活習慣改善支援装置１によれば、被指導者毎かつ評価項目毎に、目標値、重み、素点、得点、判定及びコメントが設定され、かつ、睡眠時間等の目標値又は好ましい食事の内容等に近づこうとする被指導者の努力が、日次、週次及び月次で、被指導者にとって分かり易い判定、コメント、グラフ等で表示される。したがって、「減量しにくい体質である」等の被指導者にはどうにもできない制約が存在している場合であっても、被指導者のモチベーションを維持しつつ保健指導を継続できる。
【０１０６】
本発明は、前記した実施形態に限定されることなく、本発明の主旨を逸脱しない範囲で、変更実施が可能である。
【符号の説明】
【０１０７】
１      生活習慣改善支援装置
２      入力端末装置
３      携帯端末装置
４      ネットワーク
５      Ｗｅｂ／ＡＰサーバ
６      ＤＢサーバ
１１、２１、３１、４１  主記憶装置（記憶部）
１２、２２、３２、４２  補助記憶装置（記憶部）
１３、２３、３３、４３  入力装置
１４、２４、３４、４４  出力装置
１５、２５、３５、４５  中央制御装置（制御部）
１６、２６、３６  通信装置
３７    携帯端末インターフェース（ＩＦ）
４６    入力端末インターフェース（ＩＦ）
５１    Ｗｅｂ管理部
５２    ユーザ認証部
５３    データ取得部
５４    判定部
５５    データ登録部
５６    結果表示部
５７    ＤＢ管理部
５８    Ｗｅｂブラウザ
５９    クロック機能
６０    運動量管理機能
６１    時刻管理部
７１    認証情報データベース
７２    目標情報データベース
７３    重み付け情報データベース
７４    実データデータベース
７５    時間判定基準データベース
７６    ３食摂取判定基準データベース
７７    夕食の内容判定基準データベース
７８    夕食の量判定基準データベース
７９    運動量判定基準データベース
８０    意識的運動判定基準データベース
８１    日次データ管理データベース
８２    日次データ集計データベース
８３    得点計算基準データベース
８４    得点判定・コメント生成基準データベース
８５    週次データ管理データベース
８６    ばらつき管理データベース
８７    連続日数コメントデータベース
８８    合計点のばらつき判定・コメント生成基準データベース
８９    前日差のばらつき判定・コメント生成基準データベース
９０    月次データ管理データベース
９１    携帯端末装置データ管理データベース
３１１  認証画面
３２１  入力画面
３４１  日次結果表示画面
３５１  日次コメント表示画面
３６１  週次結果及びコメント表示画面
３７１  月次結果及びコメント表示画面
３８１  重点目標項目登録画面
【図１】
2011128851.tif 000003
【図２】
2011128851.tif 000004
【図３】
2011128851.tif 000005
【図４】
2011128851.tif 000006
【図５】
2011128851.tif 000007
【図６】
2011128851.tif 000008
【図７】
2011128851.tif 000009
【図８】
2011128851.tif 000010
【図９】
2011128851.tif 000011
【図１０】
2011128851.tif 000012
【図１１】
2011128851.tif 000013
【図１２】
2011128851.tif 000014
【図１３】
2011128851.tif 000015
【図１４】
2011128851.tif 000016
【図１５】
2011128851.tif 000017
【図１６】
2011128851.tif 000018
【図１７】
2011128851.tif 000019
【図１８】
2011128851.tif 000020
【図１９】
2011128851.tif 000021
【図２０】
2011128851.tif 000022
【図２１】
2011128851.tif 000023
【図２２】
2011128851.tif 000024
【図２３】
2011128851.tif 000025
【図２４】
2011128851.tif 000026
【図２５】
2011128851.tif 000027